(57)【要約】【課題】トラフィック・チャネルを介する伝送を符号化するための符号マスクを生成する方法を提供する。【解決手段】本方法において、トラフィック・チャネルを介する伝送を符号化するための符号マスクが、基地局（ＢＳ）区別要因およびトラフィック・チャネル区別要因に基づいて生成される。基地局（ＢＳ）区別要因は、異なる基地局（ＢＳ）間を区別するために使用され、トラフィック・チャネル区別要因は、基地局（ＢＳ）によって割り当てられた異なるトラフィック・チャネル間を区別するために、基地局（ＢＳ）によって使用される。【選択図】図３
2004328757.tif 000002
【特許請求の範囲】
【請求項１】
伝送を符号化するための方法であって、
異なる基地局（ＢＳ）伝送間を区別するために使用される少なくとも１つの基地局（ＢＳ）区別要因および異なるトラフィック・チャネル間を区別するために使用される少なくとも１つのトラフィック・チャネル区別要因に基づいて、トラフィック・チャネルを介する伝送を符号化するための符号マスクを生成するステップからなる方法。
【請求項２】
前記基地局（ＢＳ）区別要因が、前記トラフィック・チャネルを割り当てる基地局（ＢＳ）のＰＮオフセットであり、
前記トラフィック・チャネル区別要因が、前記トラフィック・チャネルに割り当てられたウォルシュ符号である請求項１に記載の方法。
【請求項３】
前記生成するステップが、前記ＰＮオフセットおよび前記ウォルシュ符号を含むよう前記符号マスクを生成する請求項２に記載の方法。
【請求項４】
前記生成するステップが、所定の順序で、前記ＰＮオフセット、前記ウォルシュ符号及び別の組のビットとを連結することにより、前記符号マスクを生成する請求項３に記載の方法。
【請求項５】
さらに、前記トラフィック・チャネルを割り当てる前記基地局（ＢＳ）から、前記生成された符号マスクを示すメッセージを送信するステップからなる請求項２に記載の方法。
【請求項６】
伝送を符号化するための方法であって、
移動局（１２）で、ＰＮオフセットおよびウォルシュ符号を受信するステップ、及び、
移動局（１２）で、前記受信されたＰＮオフセットおよび前記受信されたウォルシュ符号に基づいて、トラフィック・チャネルを介する伝送を符号化するための符号マスクを生成するステップからなる方法。
【請求項７】
伝送を符号化するための方法であって、
移動局（１２）で、呼起動およびハンドオフの１つの期間中に、トラフィック・チャネルを介する伝送を符号化し、異なる基地局（ＢＳ）伝送間を区別するために使用される、少なくとも１つの基地局（ＢＳ）区別要因および異なるトラフィック・チャネル間を区別するために使用される少なくとも１つのトラフィック・チャネル区別要因を含む、符号マスクを受信するステップからなる方法。
【請求項８】
伝送を符号化するための方法であって、
移動局（１２）で、トラフィック・チャネルを割り当てる前記基地局（ＢＳ）から前記生成された符号マスクを受信することなく前記トラフィック・チャネルを介する伝送を符号化するための、異なる基地局（ＢＳ）伝送間を区別するために使用される少なくとも１つの基地局（ＢＳ）区別要因および、異なるトラフィック・チャネル間を区別するために使用される少なくとも１つのトラフィック・チャネル区別要因を含む、符号マスクを生成するステップからなる方法。
【請求項９】
前記生成するステップが、前記生成された符号マスクを受信するか、または基地局（ＢＳ）から前記符号マスクを生成する際に使用する方法に関する情報を受信することなく、前記符号マスクを生成する請求項８に記載の方法。
【請求項１０】
伝送を符号化するための方法であって、
移動局（１２）で、異なる基地局（ＢＳ）伝送間を区別するために使用される少なくとも１つの基地局（ＢＳ）区別要因および異なるトラフィック・チャネル間を区別するために使用される少なくとも１つのトラフィック・チャネル区別要因に基づいて、トラフィック・チャネルを介する伝送を符号化するための符号マスクを生成するステップ及び、
移動局（１２）で、前記生成された符号マスクを使用して前記トラフィック・チャネルを介して伝送するステップからなる方法。
【発明の詳細な説明】
【技術分野】
【０００１】
本発明は、ワイヤレス通信システムにおける符号化及び符号マスクの生成に関する。
【背景技術】
【０００２】
図１は、ワイヤレス・サービスが、セル１０の第１のネットワークを有する第１のサービス・プロバイダおよびセル２０の第２のネットワークを有する第２のサービス・プロバイダによって提供される地理領域の一部分を示す図である。セル１０および２０の第１のおよび第２のネットワーク内のセルのそれぞれが、各サービス・プロバイダによって運営されているネットワーク内の対応する基地局ＢＳのためのカバレージ・エリアを表す。基地局ＢＳが、一般に、そのカバレージ・エリア内の移動局１２のためにワイヤレス通信サービスを提供する。
【０００３】
後に理解されるであろうが、１つの基地局ＢＳと移動局１２の間の通信は、別の基地局ＢＳと別の移動局１２の間の通信に干渉する大きな可能性を有する。この可能性は、同じネットワーク内の基地局ＢＳについて、かつ異なるネットワーク内の基地局ＢＳ間で存在する。また、同じ基地局ＢＳと２つの異なる移動局１２の間の通信は、相互に干渉しあう可能性を有する。この干渉を回避するために、ＣＤＭＡ２０００ワイヤレス・システムなどのワイヤレス通信システムが、符号を使用して、伝送を符号化し区別する。以下に記載するように、基地局ＢＳが、異なるオフセット値から生成された符号を使用して、異なる基地局による伝送間を区別する。また基地局ＢＳが、符号を使用して、基地局ＢＳにより移動局に割り当てられた異なるトラフィック・チャネル間を区別する。
【０００４】
ＣＤＭＡ２０００システムにおいては、それぞれのサービス・プロバイダが、識別子ＢＳ＿ＩＤをそのネットワーク内の基地局ＢＳ割り当てて、ネットワーク内のそれぞれの基地局ＢＳを一意的に識別する。しかし、基地局識別子ＢＳ＿ＩＤは、異なるネットワーク内の基地局ＢＳを必ずしも一意的に識別するわけではない。伝送する場合には、基地局が、ＣＤＭＡ２０００におけるＰＮオフセットなどの異なるオフセットに基づいて、その伝送を符号化する。ＣＤＭＡ２０００においては、ＰＮオフセットは、たとえこれらの基地局ＢＳが異なるネットワーク内にある場合でも、ある基地局ＢＳをその隣接基地局ＢＳから区別する９ビット・ストリングである。図１に示されているように、異なるネットワークからの基地局ＢＳは隣接基地局であり得る。図１では、相互に隣接または近接した（たとえば１つまたは複数のセルによって分離された）カバレージ・エリアを有する隣接基地局を示しているが、それらの隣接基地局はオーバラップしているカバレージ・エリアを有し得ることを理解されよう。移動局１２で、移動局１２は基地局ＢＳからＰＮオフセットを取得して、基地局ＢＳからの伝送を復号化し、別の基地局ＢＳからある基地局ＢＳの伝送を区別する。ＣＤＭＡ２０００においては、たとえば移動局１２は、順方向制御チャネルを介して基地局によって同報通信されたメッセージから、ＰＮオフセットおよび基地局識別子ＢＳ＿ＩＤを取得する。
【０００５】
基地局ＢＳがトラフィック・チャネルを割り当て、移動局１２がそれを介して通信し得る場合には、基地局ＢＳは符号を使用して、あるトラフィック・チャネル伝送を別のトラフィック・チャネル伝送から区別する。ＣＤＭＡ２０００においては、異なるウォルシュ符号を使用して、基地局ＢＳのそれぞれのトラフィック・チャネルを符号化する。ＰＮオフセットと同様に、基地局ＢＳと移動局１２の間のトラフィック・チャネルに割り当てられたウォルシュ符号は、順方向制御チャネルを介してメッセージ内で移動局１２に通信される。移動局１２で、移動局１２はトラフィック・チャネルを介する伝送を復号化し、ウォルシュ符号を使用して、あるトラフィック・チャネルを別のトラフィック・チャネルから区別する。
【０００６】
符号は、トラフィック・チャネルを介する逆リンク伝送（移動局から基地局へ）を区別するためにも使用される。トラフィック・チャネル伝送を符号化し区別するために移動局によって使用される符号を、符号マスクと呼ぶ。ＣＤＭＡ２０００においては、符号マスクを長符号マスクと呼び、２つのタイプの長符号マスクが知られている。すなわち、私用符号マスクおよび公開符号マスクである。ＣＤＭＡ２０００においては、公開長符号マスク（ＰＬＣＭ）は、一般に、移動局１２の電子シリアル・ナンバー（ＥＳＮ）を使用して形成される。図２は、４２ビット長である、ＣＤＭＡ２０００に従って形成される公開長符号マスクの一例を示す図である。しかし、他の長符号マスクのサイズも存在する。図示のように、長符号マスクは、長符号マスクのタイプ（私用または公開）を示す２ビットと、長符号マスクを形成するために使用される方法などの信号情報を提供する８ビットと、移動局１２の３２ビットのＥＳＮとを有する。３２ビットのＥＳＮは、しばしばＰＬＣＭの可変部分と考えられる。
【０００７】
基地局ＢＳが移動局１２のためのトラフィック・チャネル伝送を復号化するためには、そのＢＳは移動局のＥＳＮを取得しなければならず、当技術分野において、これを達成するための数々の方法が知られている。上述したＰＬＣＭ生成方法の代替形態として、ＣＤＭＡ２０００はまた、基地局ＢＳが、呼起動（たとえば発呼や呼配信）中に移動局１２に、その選択したＰＬＣＭを割り当て得ることを実現する。
【０００８】
現在、３２ビットのＥＳＮの供給は使い尽くされてきており、３２ビットのＥＳＮを使用することから５６ビットのＭＥＩＤ（ｍｏｂｉｌｅ  ｅｑｕｉｐｍｅｎｔ  ｉｄｅｎｔｉｆｉｅｒ、移動機器識別子）へ移行することが論議され始めている。５６ビットのＭＥＩＤの使用は、公開長符号マスクの生成などのいくつかの課題を提起する。ＭＥＩＤを直接使用するには、ハードウェア変更が必要である。したがって、このようなハードウェア変更を必要としない公開長符号マスクを生成するためのＭＥＩＤを使用するための、いくつかの提案が存在する。１つの提案に、５６ビットのＭＥＩＤを２４ビット値にマップして、固定８ビット値を２４ビットにマップした値に連結し、３２ビットの擬似ＥＳＮを作成することがある。次いで、擬似ＥＳＮは、従来の公開長符号マスク生成プロセスにおけるＥＳＮとして使用され得る。
【０００９】
しかし、この擬似ＥＳＮ方法では、移動局通信間の望ましくない数の衝突を防止するのに十分な数の異なる公開長符号マスクを生じないことが示されている。衝突は、２つ以上の移動局からの伝送が一意的に識別可能でない場合に起きる。
【００１０】
この衝突問題を解決することを試みた他の技術があるが、それによりシステム内の複雑さが増す結果となっている。たとえば１つの提案に、ネットワーク内に一意の値を確保する方法を使用して、基地局に公開長符号マスクを割り当てさせるものがある。しかし、網間ハンドオフ中はこの一意性が確保され得ず、その結果衝突が生じかねない。このことから、衝突を防止する際の複雑さがさらに増すような提案がなされていると言える。
【発明の開示】
【発明が解決しようとする課題】
【００１１】
本発明は、移動局トラフィック・チャネル通信間を区別するために、所望のレベルの一意性を提供するトラフィック・チャネルを介する伝送を符号化する際に使用するための符号マスクを生成する方法を提供する。本発明によれば、符号マスクは、基地局区別要因およびトラフィック・チャネル区別要因に基づいて生成される。
【課題を解決するための手段】
【００１２】
一例示的実施形態においては、符号マスクは、基地局区別要因としてＰＮオフセットをかつトラフィック・チャネル区別要因としてウォルシュ符号を符号マスク内に含むことによって生成される。したがって、「区別要因」という用語は、伝送を符号化する際に使用する符号を生成するために使用されるオフセットおよび符号自体などの、区別する値を包含することを理解されよう。たとえば、ＰＮオフセットは基地局間で異なり、他のネットワークからの隣接基地局間でさえも異なる。ウォルシュ符号は、基地局によって割り当てられたトラフィック・チャネル間で異なる。ＰＮオフセットとウォルシュ符号とは共に、符号マスクの区別する部分を提供する。したがって、衝突が防止され得る。
【００１３】
さらに、移動局は、符号マスクの生成に必ずしも関連付けられていないその正規のオペレーションの一部として、ＰＮオフセットおよびウォルシュ符号を取得する。したがって、符号マスク生成のこの方法を符号マスク生成の固定またはデフォルトの方法として設定することにより、符号マスクを生成するために、複雑さまたは信号がさらに必要となることがない。たとえば、基地局から移動局への符号マスクの通信は必要でない。しかし、本発明に従って生成された符号マスクはまた、呼起動（たとえば発呼や配信）中に基地局によって割り当てられ、あるいはハンドオフ中に直接または間接的に割り当てられ得る。
【００１４】
単に例示目的で示したものであり、したがって本発明を限定するものではない、本明細書における以下の詳細な記述および添付図面より、本発明をより充分に理解されよう。なお、同様の要素には同様の参照符号を付してある。
【発明を実施するための最良の形態】
【００１５】
本発明は、トラフィック・チャネルを介する伝送を符号化する際に使用するための、ＣＤＭＡ２０００における公開長符号マスクなどの符号マスクを生成する方法を提供する。本発明によれば、符号マスクは、基地局区別要因およびトラフィック・チャネル区別要因に基づいて生成される。上述したように、基地局区別要因は、隣接基地局間で異なり、他のネットワークからの隣接基地局間でさえも異なる。さらに上述したように、トラフィック・チャネル区別要因は、基地局によって割り当てられたトラフィック・チャネル間で異なる。さらに上述したように、「区別要因」という用語は、伝送を符号化する際に使用する符号を生成するために使用されるオフセットおよび符号自体などの、区別する値を包含することを理解されよう。基地局区別要因とトラフィック・チャネル区別要因とは共に、伝送を識別するための基準を提供し、したがって、システム間ハンドオフ中においても、移動局伝送間の衝突を回避する。
【００１６】
図３は、本発明による符号マスクの例示的実施形態を示す図である。図示のように、符号マスクは、基地局区別要因と、トラフィック・チャネル区別要因と、いくつかの充てんビットとを有する。充てんビットは、符号マスクを形成するビットの総数を、ＣＤＭＡ２０００などの特定の標準によって必要とされる数までとする。したがって、充てんビットは、標準によって規定されるビットを有し得る。たとえばＣＤＭＡ２０００においては、充てんビットは、図２に示されているタイプおよび信号部分を有する。次いで、図２のＥＳＮ部分は、基地局区別要因と、トラフィック・チャネル区別要因と、追加の充てんビットとから形成され、ビットの総数を４２とする。しかし、図２に示されたＰＬＣＭのＥＳＮ部分を超える部分は、ＰＬＣＭの可変部分と考えられるかまたはそのように取り扱われ、本発明の原理に従って生成され得る。
【００１７】
図４〜９は、本発明による符号マスクのいくつかの配置を示す図である。より詳細には、図４〜９は、図２に示されているように、ＣＤＭＡ２０００によって規定されたフォーマットを有する公開長符号マスクの（ＥＳＮ部分と推測される）可変部分の可能な配置を示す図である。これらの図に示されているように、符号マスクの可変部分は、基地局区別要因と、トラフィック・チャネル区別要因と、標準によって規定されていない充てんビットとを特定の順序で連結することによって生成され得る。さらに、本発明による符号マスクにより、多重化されたビットを多重化し配置することもできる。したがって、このことおよび上記の開示から、基地局区別要因およびトラフィック・チャネル区別要因に基づく符号マスクのための数々の実施形態が存在し、本発明の主題と考えられることが理解されよう。さらなる例として、基地局区別要因と、トラフィック・チャネル区別要因と、充てんビットの１つまたは複数が、（たとえばＤＥＳなどのブロック暗号を使用して）符号化され、または（たとえば対の独立置換を使用して）置換され得る。
【００１８】
図４〜９は、ＣＤＭＡ２０００におけるＰＮオフセットとしての基地局区別要因およびＣＤＭＡ２０００におけるウォルシュ符号としてのトラフィック・チャネル区別要因を示す図である。図４に示されるように、ＣＤＭＡ２０００のための公開長符号マスクの（図４〜９内のＥＳＮ部分と推測される）可変部分は、固定ビットＦ（「０」または「１」）と、ＰＮオフセットと、基地局識別子ＢＳ＿ＩＤと、ウォルシュ符号とを連結することによって形成される。ここでは、基地局識別子ＢＳ＿ＩＤおよび固定ビットは、充てんビットとして働くが、本発明は、この方式で充てんビットを形成することに限定されるものではない。
【００１９】
図５の実施形態においては、符号マスクのＥＳＮ部分は、固定ビットＦと、ＰＮオフセットと、ウォルシュ符号と、基地局識別子ＢＳ＿ＩＤとを連結することによって形成される。図６の実施形態においては、符号マスクのＥＳＮ部分は、基地局識別子と、ウォルシュ符号と、ＰＮオフセットと、固定ビットＦとを連結することによって形成される。
【００２０】
図７は、ＰＮオフセットおよびウォルシュ符号がいくつかの所定の方式で多重化されることを示す図である。次いで、符号マスクのＥＳＮは、固定ビットＦと、多重化されたビットと、基地局識別子ＢＳ＿ＩＤとを連結することによって形成される。上述の実施形態によって論証されているように、本発明は、この順序の連結に限定されるものではない。
【００２１】
図８は、基地局区別要因と、トラフィック・チャネル区別要因と、充てんビットの１つまたは複数が、（たとえばＤＥＳなどのブロック暗号を使用して）符号化されるか、または（たとえば対の独立置換を使用して）置換され得ることを示す図である。図示のように、ＰＮオフセットは、機能ｆ（ＰＮオフセット）によって表されているように、符号化されているかまたは置換されており、公開長符号マスクのＥＳＮ部分は、固定ビットと、符号化または置換されたＰＮオフセットと、基地局識別子ＢＳ＿ＩＤと、ウォルシュ符号とを連結することによって生成されている。
【００２２】
図９は、本発明が、ビット、多重化されたビット、符号化されたビット、または置換されたビットが連続ストリングのビットとして現れることに限定されるものではないことを示す図である。実際には図９に示されているように、１つまたは複数のストリングのビットが、不連続な方式でマスク符号内に配置され得る。図９は、マスク符号のＥＳＮ部分が、図７の多重化されたビットの第２部（たとえば後半）と、基地局識別子ＢＳ＿ＩＤと、図７の多重化されたビットの第１部（たとえば前半）と、固定ビットＦとを連結することによって形成されることを示す図である。
【００２３】
上述したように、ウォルシュ符号と、基地局識別子ＢＳ＿ＩＤと、ＰＮオフセットとが、一般に順方向制御チャネルを介して、移動局に提供されることが周知である。したがって、本発明の一例示的実施形態においては、ワイヤレス・ネットワークにおいて符号マスクを生成する方法は、上述した実施形態の１つに記載されているように、符号マスクのためのフォーマットに従って固定されている。移動局と基地局の両方がフォーマットを認識しており、移動局と基地局の両方が符号マスクを形成するのに必要な情報を有しているので、基地局による符号マスクの割当ては不要である。また基地局が、符号マスクを生成する方法を移動局に通知することも不要である。その結果、移動局と基地局の両方で符号マスクを生成するための複雑さおよびオーバヘッドが大いに低減される。
【００２４】
たとえワイヤレス・ネットワークが、複数の方法に従って符号マスクを生成する可能性を提供する場合においても、本発明の方法は、基地局が生成方法を示さない場合かつ／または符号マスクを提供しない場合には、符号マスクを生成するデフォルトの方法として確立され得る。したがって、符号マスクを生成する方法を調整（ｆｉｘｉｎｇ）するのと同様の有益な結果が達成され得る。
【００２５】
また、ワイヤレス・ネットワークが、複数の方法に従って符号マスクを生成する可能性を提供する場合には、基地局は、順方向制御チャネルを介するなどして移動局に、本発明の実施形態の１つに従って符号マスクを形成することを示すメッセージを送信し得る。
【００２６】
あるいは、基地局は、本発明の実施形態の１つに従って形成された符号マスクを、たとえば順方向制御チャネルを介して移動局に提供し得る。また、基地局は、本発明の実施形態の１つに従って形成された符号マスクを、呼起動（たとえば発呼または配信）中あるいはハンドオフ中に、移動局に提供し得る。ハンドオフ中、符号マスクは直接または間接的に供給され得る。ハンドオフにおいては、移動局は、ソース基地局から目標基地局にハンドオフされる。したがって、目標基地局と移動局の間にトラフィック・チャネルが作成される。ここでは目標基地局は、直接移動局に、または間接的にソース基地局を介して移動局に符号マスクを送信することにより、符号マスクを通信し得る。
【００２７】
本発明についてこのように記述してきたが、本発明を多くの方式で変更し得ることは明らかであろう。このような変形形態を本発明の趣旨および範囲からの逸脱とみなすべきではなく、当業者には明らかなこのようなすべての修正形態は、本発明の範囲内に含まれるものとする。
【図面の簡単な説明】
【００２８】
【図１】ワイヤレス・サービスが、セルの第１のネットワークを有する第１のサービス・プロバイダおよびセルの第２のネットワークを有する第２のサービス・プロバイダによって提供される地理領域の一部分を示す図である。
【図２】ＣＤＭＡ２０００に従って形成される長符号マスクの一例を示す図である。
【図３】本発明による符号マスクの例示的実施形態を示す図である。
【図４】本発明による符号マスクのいくつかの配置を示す図である。
【図５】本発明による符号マスクのいくつかの配置を示す図である。
【図６】本発明による符号マスクのいくつかの配置を示す図である。
【図７】本発明による符号マスクのいくつかの配置を示す図である。
【図８】本発明による符号マスクのいくつかの配置を示す図である。
【図９】本発明による符号マスクのいくつかの配置を示す図である。
【図１】
2004328757.tif 000003
【図２】
2004328757.tif 000004
【図３】
2004328757.tif 000005
【図４】
2004328757.tif 000006
【図５】
2004328757.tif 000007
【図６】
2004328757.tif 000008
【図７】
2004328757.tif 000009
【図８】
2004328757.tif 000010
【図９】
2004328757.tif 000011